(57)【要約】【課題】商用電源や電池などの電源を必要とせずに、電子認証により開錠ができるようにする。【解決手段】シリンダー錠１０１、発電機１０２、認証部１０３、開錠制御部１０４を備え、認証部１０３および開錠制御部１０４は、発電機１０２による発電で発生した電力により動作し、認証部１０３は、発電機１０２による発電で発生した電力の供給開始により動作を開始し、鍵穴１０７に挿入軸１２２が装入される鍵１２１に設けられているＩＣチップに記憶されている識別情報を近距離無線通信により読み出し、読み出した識別情報と記憶されている認証情報との比較により認証を行い、開錠制御部１０４が、認証部１０３の認証結果によりデッドボルト１０８を開錠させる。【選択図】  図１
2016089497.tif 000002
【特許請求の範囲】
【請求項１】
錠箱に回転可能に設けられた回転軸、前記回転軸に設けられた鍵穴、および電気的に駆動されるデッドボルトを備えるシリンダー錠と、
前記回転軸の回動に連動して回転して発電する発電機と、
前記鍵穴に挿入軸が装入された鍵に設けられているＩＣチップに記憶されている識別情報を近距離無線通信により読み出し、読み出した識別情報と記憶されている認証情報との比較により認証を行う認証部と、
前記認証部の認証結果により前記デッドボルトを開錠させる開錠制御部と
を備え、
前記認証部，前記開錠制御部，および前記デッドボルトは、前記発電機による発電で発生した電力により動作し、
前記認証部は、前記発電機による発電で発生した電力の供給開始により動作を開始する
ことを特徴とする錠前装置。
【請求項２】
請求項１記載の錠前装置において、
前記開錠制御部は、前記デッドボルトが施錠状態の場合、前記認証部の認証結果により前記デッドボルトを開錠させ、前記デッドボルトが開錠状態の場合、前記認証部の認証結果により前記デッドボルトを施錠させる
ことを特徴とする錠前装置。
【発明の詳細な説明】
【技術分野】
【０００１】
本発明は、近距離無線通信による電子認証で開錠可能とされる錠前装置に関する。
【背景技術】
【０００２】
入室を制限するために、扉に錠前装置を設けることが重要となる。近年では、鍵のみではなくＩＣカードなどを組み合わせて開錠操作をする錠前装置も開発されている。例えば、鍵にＩＣタグを組み込み、鍵が錠前装置へ差し込まれて接触することで、ＩＣタグとの送受信が開始されて開錠可能な状態となり、この状態で鍵を回転させることで開錠する電気錠が開発されている（特許文献１参照）。
【０００３】
また、指紋認証、非接触ＩＣチップ認証などの利用者認証装置による利用者認証と、電動サムターンとによる電気錠も開発されている（特許文献２参照）。この技術では、利用者認証装置で利用者の認証がなされると、電動サムターンにより開錠がなされる。
【先行技術文献】
【特許文献】
【０００４】
【特許文献１】特開２００４−２５０９９５号公報
【特許文献２】特開２００９−２０３６３３号公報
【発明の概要】
【発明が解決しようとする課題】
【０００５】
しかしながら、上述した電子認証が組み合わされた電気錠では、認証や施錠・開錠の動作に電力が必要となり、例えば商用電源や電池などが用いられている。このため、商用電源の場合は、停電時に操作が行えず、電池の場合、電池切れの時に操作が行えず、また、電池交換の手間が発生する。
【０００６】
本発明は、以上のような問題点を解消するためになされたものであり、商用電源や電池などの電源を必要とせずに、電子認証により開錠ができるようにすることを目的とする。
【課題を解決するための手段】
【０００７】
本発明に係る錠前装置は、錠箱に回転可能に設けられた回転軸、回転軸に設けられた鍵穴、および電気的に駆動されるデッドボルトを備えるシリンダー錠と、回転軸の回動に連動して回転して発電する発電機と、鍵穴に挿入軸が装入された鍵に設けられているＩＣチップに記憶されている識別情報を近距離無線通信により読み出し、読み出した識別情報と記憶されている認証情報との比較により認証を行う認証部と、認証部の認証結果によりデッドボルトを開錠させる開錠制御部とを備え、認証部，開錠制御部，およびデッドボルトは、発電機による発電で発生した電力により動作し、認証部は、発電機による発電で発生した電力の供給開始により動作を開始する。
【０００８】
上記錠前装置において、開錠制御部は、デッドボルトが施錠状態の場合、認証部の認証結果によりデッドボルトを開錠させ、デッドボルトが開錠状態の場合、認証部の認証結果によりデッドボルトを施錠させる。
【発明の効果】
【０００９】
以上説明したことにより、本発明によれば、商用電源や電池などの電源を必要とせずに、電子認証により開錠ができるようになるという優れた効果が得られる。
【図面の簡単な説明】
【００１０】
【図１】図１は、本発明の実施の形態における錠前装置の構成を示す構成図である。
【図２】図２は、本発明の実施の形態における錠前装置の動作例を説明するためのフローチャートである。
【発明を実施するための形態】
【００１１】
以下、本発明の実施の形態について図を参照して説明する。図１は、本発明の実施の形態における錠前装置の構成を示す構成図である。この錠前装置は、シリンダー錠１０１、発電機１０２、認証部１０３、開錠制御部１０４を備える。
【００１２】
シリンダー錠１０１は、錠箱１０５に回転可能に設けられた回転軸１０６、回転軸１０６に設けられた鍵穴１０７、および電気的に駆動されるデッドボルト１０８を備える。デッドボルト１０８は、例えば、軸方向に進退自在な状態で図示しないハウジング内に収納され、このハウジングに内蔵された図示しないソレノイドに通電することにより進退し、ハウジングから先端部が出入する。なお、この錠前装置が取り付けられる扉（不図示）の扉枠（不図示）に設けられた嵌挿穴（不図示）に、軸方向に進出したデッドボルト１０８の先端部が嵌入することで、施錠された状態となる。
【００１３】
発電機１０２は、回転軸１０６の回動に連動して回転して発電する。発電機１０２は、例えば弾み車が組み込まれたダイナモであり、鍵穴１０７に挿入軸が装入された鍵の軸を中心とした回転動作により、弾み車が回転して発電動作がなされる。
【００１４】
認証部１０３は、鍵穴１０７に挿入軸１２２が装入される鍵１２１に設けられているＩＣチップに記憶されている識別情報を、公知の近距離無線通信により読み出し、読み出した識別情報と記憶されている認証情報との比較により認証を行う。認証部１０３には、錠箱１０５の周囲に配置されたアンテナ１１１が接続し、アンテナ１１１による無線信号の送受信により、鍵１２１に内蔵されているＩＣチップとの通信を行う。
【００１５】
開錠制御部１０４は、認証部１０３の認証結果によりデッドボルト１０８を開錠させる。開錠制御部１０４は、デッドボルト１０８が施錠状態の場合、認証部１０３で上記認証がなされると、デッドボルト１０８を開錠させる。また、開錠制御部１０４は、デッドボルト１０８が開錠状態の場合、認証部１０３で上記認証がなされると、デッドボルト１０８を施錠させる。デッドボルト１０８の位置により、開錠状態と施錠状態とが識別可能である。また、開錠制御部１０４は、認証部１０３における上記認証がなされるまでは、デッドボルト１０８の開錠状態または施錠状態を維持する。
【００１６】
また、実施の形態の錠前装置は、認証部１０３および開錠制御部１０４は、発電機１０２による発電で発生した電力により動作し、認証部１０３は、発電機１０２による発電で発生した電力の供給開始により動作を開始する。例えば、認証部１０３，開錠制御部１０４を構成するＩＣ（Integrated Circuit）チップは、１００〜２００ｍＡ程度で動作可能であり、６Ｗ程度の電力が供給できる発電機１０２によれば、十分に動作する。
【００１７】
また、この錠前装置は、室内側に回転軸１０６に連動するサムターン１１２を備える。認証部１０３における認証の有無にかかわらず、サムターン１１２を人為的に回転動作させることで、軸方向にデッドボルト１０８を進退させ、施錠状態および開錠状態のいずれにも変更させることができる。
【００１８】
次に、本発明の実施の形態における錠前装置の動作例について説明する。まず、ステップＳ２０１で、回転軸１０６が回動すると、ステップＳ２０２で、これに連動して発電機１０２が発電する。利用者が、鍵１２１の挿入軸１２２を鍵穴１０７に装入し、鍵１２１を回転させようとする。このとき、例えば、挿入軸１２２の表面におけるディンプル形状と、シリンダー錠１０１側のタンブラーの状態とが一致すれば、鍵１２１は回動して回転軸１０６が回動し、発電機１０２における発電が開始される。
【００１９】
次に、ステップＳ２０３で、認証部１０３が動作を開始し、鍵穴１０７に挿入軸１２２が装入されている鍵１２１に設けられているＩＣチップに記憶されている識別情報を近距離無線通信により読み出す。次いで、ステップＳ２０４で、認証部１０３は、読み出した識別情報と記憶されている認証情報とを比較する。この比較により、読み出した識別情報と記憶されている認証情報とが一致して認証がなされると（ステップＳ２０４のｙ）、ステップＳ２０５に移行する。一方、上記比較により、読み出した識別情報と記憶されている認証情報とが一致しない場合、動作を停止して終了する。
【００２０】
ステップＳ２０５に移行すると、開錠制御部１０４が、施錠状態であることを確認する。施錠状態である場合（ステップＳ２０５のｙ）、ステップＳ２０６で、開錠制御部１０４は、デッドボルト１０８を開錠させる。一方、施錠状態ではなく開錠状態の場合（ステップＳ２０５のｎ）、ステップＳ２０７で、開錠制御部１０４は、デッドボルト１０８を施錠させる。
【００２１】
以上に説明したように、本発明によれば、シリンダー錠の回転軸の回転による発電機の発電により、認証部および開錠制御部を動作させ、デッドボルトを開錠させるようにしたので、商用電源や電池などの電源を必要とせずに、電子認証により開錠ができるようになる。従って、通年を通して終日機能させる電子認証による錠前装置にとって、むだな消費電力が抑制でき、節電できるようになる。また、停電時においても動作可能であり、高い安全が確保できるようになる。
【００２２】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００２３】
１０１…シリンダー錠、１０２…発電機、１０３…認証部、１０４…開錠制御部、１０５…錠箱、１０６…回転軸、１０７…鍵穴、１０８…デッドボルト、１１１…アンテナ、１１２…サムターン、１２１…鍵、１２２…挿入軸。
【図２】
2016089497.tif 000003
【図１】
2016089497.tif 000004